(57)【特許請求の範囲】
【請求項１】
現場でコンクリートを打設して構築するコンクリート床版であって、
間隔をおいて配置した複数の桁部材と、
引張部材であって前記桁部材間に架け渡す引張板と、
前記引張板の上面に打設するコンクリートと、からなり、
前記引張板には前記コンクリートの荷重を作用させることによって面方向の引張り力を発生させ、
前記引張り力に対抗できるように、前記引張板の縁端部を凹凸状に形成し、該凹凸部と前記桁部材を溶接によって固定したことを特徴とする、
コンクリート床版。
【請求項２】
現場でコンクリートを打設して構築するコンクリート床版の構築方法において、
間隔をおいて複数の桁部材を配置し、
引張部材である引張板を前記桁部材間に架け渡し、
前記引張板には前記コンクリートの荷重を作用させることによって面方向の引張り力を発生させ、
前記引張り力に対抗できるように、前記引張板の縁端部を凹凸状に形成した凹凸部を前記桁部材に溶接によって固定し、
前記引張板の上面にコンクリートを打設する、
コンクリート床版の構築方法。
【発明の詳細な説明】
【技術分野】
【０００１】
本発明は、現場でコンクリートを打設して構築するコンクリート床版及びその構築方法に関するものである。
【背景技術】
【０００２】
現場でコンクリートを打設してコンクリート床版を構築するために、従来から色々な方法が実施されてきた。
最も古くから実施されている方法は、型枠と支保工を使用する方法で、コンクリートの下面を形成する位置に型枠を設置し、型枠の上面に打設するコンクリートの荷重を支持するために型枠の下に支保工を配置する方法である。また、コンクリート製の撤去不要の埋設型枠を使用して床版を構築する方法もある。
さらに、特許文献１に開示されているように、専用のデッキプレートａを主桁ｂ間に架け渡し、その上面にコンクリートを打設してコンクリート床版を構築する方法もある（図４参照）。この方法では、コンクリートの荷重はデッキプレートａの曲げ耐力で支持されるため、デッキプレートａは主桁ｂ上に設置されるだけか、またはずれ止め程度に固定されているに過ぎない。
【特許文献１】特開平８−９３１０８号公報
【発明の開示】
【発明が解決しようとする課題】
【０００３】
前記した従来のコンクリート床版及びコンクリート床版の構築方法にあっては、次のような問題点がある。
＜１＞撤去式の型枠及び支保工を使用する方法では、支保工の設置及び撤去作業を床下の狭い空間で行わなければならず、作業効率が悪い。また、型枠を撤去した後にコンクリート面が露出するため、塩害などに対する長期耐久性が乏しい。
＜２＞コンクリート製の埋設型枠は、部材が厚く重量が大きいため、取り扱いにくく、大型クレーンを配備しなければならない場合もある。
＜３＞デッキプレートａの形状は曲げ剛性で設定されているため、主桁ｂ，ｂ間の間隔が広くなったり、構築するコンクリート床版の厚さが厚くなったりすると、デッキプレートａの断面またはデッキプレートａを構成している鋼板の肉厚が大きくなり、材料費が高くなるため不経済である。
【課題を解決するための手段】
【０００４】
上記のような課題を解決するために、本発明のコンクリート床版は、現場でコンクリートを打設して構築するコンクリート床版であって、間隔をおいて配置した複数の桁部材と、引張部材であって前記桁部材間に架け渡す引張板と、前記引張板の上面に打設するコンクリートと、からなり、前記引張板には前記コンクリートの荷重を作用させることによって面方向の引張り力を発生させ、前記引張り力に対抗できるように、前記引張板の縁端部を凹凸状に形成し、該凹凸部と前記桁部材を溶接によって固定することができる。
また、現場でコンクリートを打設して構築するコンクリート床版の構築方法において、間隔をおいて複数の桁部材を配置し、引張部材である引張板を前記桁部材間に架け渡し、前記引張板には前記コンクリートの荷重を作用させることによって面方向の引張り力を発生させ、前記引張り力に対抗できるように、前記引張板の縁端部を凹凸状に形成した凹凸部を前記桁部材に溶接によって固定し、前記引張板の上面にコンクリートを打設する、コンクリート床版の構築方法である。
【発明の効果】
【０００５】
本発明のコンクリート床版及びコンクリート床版の構築方法は、上記した課題を解決するための手段により、次のような効果の少なくとも一つを得ることができる。
＜１＞引張り力を付与できる引張板を使用することで、型枠の断面が小さくなり、薄肉の板材を埋設型枠として使用できるので経済的である。
＜２＞コンクリート床版の下面が引張板で覆われることになるため、塩害などに対する耐久性が向上する。また、引張板の表面を防食加工したり、ステンレス製の引張板を使用したりすることで更に耐久年数を延ばすことができる。
＜３＞薄肉の引張材を埋設型枠として使用できるため、取り扱い易く、床版全体の重量の削減も可能である。
【発明を実施するための最良の形態】
【０００６】
以下、図面を参照しながら本発明の実施の形態について説明する。
【０００７】
＜１＞コンクリート床版
コンクリート床版は、現場でコンクリートを打設して構築する床版である。本発明のコンクリート床版は、複数の桁部材２，２・・・と、桁部材２，２間に架け渡す引張板１と、引張板１の上面に打設するコンクリート３によって構成する。
コンクリート３は、通常、鉄筋３１を配置した鉄筋コンクリートとし、引張板１を設置した後に引張板１の上面で鉄筋３１を組み立てる。また、コンクリート３と桁部材２の一体化を図る場合には、孔の開いた有孔ジベル板２１を桁部材２の上面に固定し、コンクリート３の内部に埋め込まれるようにする方法がある。
【０００８】
＜２＞引張板
引張板１は、引張材料からなる板状の部材である。例えば、薄肉の鋼板、ステンレス板などが使用できる。
本発明のコンクリート床版に用いる引張板１は、ケーブル張力の概念を利用した構造である。すなわち、引張板１に所定の撓み量１０を確保しておき、引張板１の上面にコンクリート３を打設して荷重を作用させると、引張板１の面方向に引張り力が発生する。引張板１の固定は、この引張り力に抵抗できるように、その端部を桁部材２に固定する。
この引張り力に対して、引張板１にその許容できる引張強度（例えば降伏強度）まで抵抗させると、引張板１は薄肉部材で済むため経済的である。
【０００９】
以上のような引張部材としての機能を引張板１に求める場合は、引張板１の端部に発生した引張り力に対抗できるように桁部材２に固定しておく必要がある。このため、単に引張板１の直線状の端部を溶接で桁部材２に溶接するのみでは引張り力に対抗できない場合は、例えば引張板１の端部を板の面方向に凹凸となるように成形し、凹凸部１１と桁部材２を溶接で結合させる。すなわち、端部を凹凸に成形すると、端部が直線の場合に比べて溶接長を長くすることができるので、結合力を高めることができる。また、凹凸部１１を形成する代わりに、溶接による結合と高張力ボルトによる結合を組み合わせるなどしてもよい。
【００１０】
引張板１の撓み量１０が大きくなるように設定すると、端部に発生する引張り力も小さくなるため、端部を固定する方法も簡単にできる。しかし、撓み量１０が増えた分だけコンクリートの打設量も増加するため、引張板１の固定に要する費用とコンクリート３の打設量を比較して、総費用が最も小さくなるように設計するのが好ましい。
【実施例】
【００１１】
実施例では、本発明のコンクリート床版の構築方法について説明する。
まず、桁部材２とそれに交差する交差桁２２を格子状に配置する（図３参照）。コンクリート床版と桁部材２の一体化を図る場合には、桁部材２及び交差桁２２の上面には、上方に突出するように有孔ジベル板２１を取り付けておく方法がある。
そして、桁部材２，２間に引張板１を架け渡す。引張板１には、例えばコンクリート床版の塩害対策として厚さ２ｍｍ程度のステンレス板が使用できる。凹凸部１１を形成した引張板１の端部を桁部材２，２の上面に設置し、交差桁２２と引張板１の端部は重ならないようにする。このように２点支持とすることで、一方向に所定の撓み量１０を確保させる。凹凸部１１は、凹凸の形状に沿って溶接を行うことで桁部材２，２に固定する。
引張板１を桁部材２，２に固定した後に、鉄筋３１を配置する。桁部材２や交差桁２２と交差する方向に配置する下側の鉄筋３１は、有孔ジベル板２１の孔に鉄筋３１を通すことで配置でき、コンクリート床版と桁部材２の固定度を高めることができる。
鉄筋３１の配置後に引張板１の上面と、桁部材２及び交差桁２２の上面を、底面側の埋設型枠としてコンクリート３を打設する。コンクリート３を打設すると、その荷重によって引張板１に引張り力が作用し、桁部材２に力が伝達され、コンクリート床版の形状が保持される。
コンクリート３が硬化すると、桁部材２と引張板１とコンクリート３が一体となったコンクリート床版が完成する。引張板１は埋設型枠となるため、撤去する必要はない。また、コンクリート３の下面が引張板１で被覆されることになるため、コンクリート３の耐久性を向上させることができる。
【図面の簡単な説明】
【００１２】
【図１】本発明のコンクリート床版の実施例の説明図
【図２】コンクリート床版の実施例の断面図
【図３】コンクリート床版の実施例の平面図
【図４】従来のデッキプレートを使用したコンクリート床版の構築方法の実施例の説明図
【符号の説明】
【００１３】
１・・・引張板
１１・・凹凸部
２・・・桁部材
３・・・コンクリート
【要約】
【課題】  経済的に構築でき、耐久性に優れたコンクリート床版及びコンクリート床版の構築方法を提供すること。
【解決手段】  現場でコンクリートを打設して構築するコンクリート床版であって、間隔を置いて配置した複数の桁部材２，２と、引張部材であって前記桁部材２，２間に架け渡す引張板１と、前記引張板１の上面に打設するコンクリート３と、からなり、前記引張板１の端部を板の面方向に凹凸となるように成形し、該凹凸部１１と前記桁部材２を溶接によって固定したことを特徴とするものである。
【選択図】図１
【図１】
0003668974.tif 000002
【図２】
0003668974.tif 000003
【図３】
0003668974.tif 000004
【図４】
0003668974.tif 000005